(57)【特許請求の範囲】
【請求項１】
エレベータ乗場に設けられた乗場呼びボタンが押下されたことに基づき、当該押下された乗場呼びボタンを発光させる発光制御装置であって、
エレベータのかごの搭乗率を特定可能な情報を取得する取得部と、
乗場呼びボタンの押下への応答として、当該乗場呼びボタンが設けられた乗場呼び発生階床へ向かう応答かごの前記情報に基づき特定された搭乗率に応じて、前記発光させた乗場呼びボタンの発光態様を制御する発光制御部と、を備える、発光制御装置。
【請求項２】
前記発光制御部は、前記応答かごが前記乗場呼び発生階床へ近づく方向の移動を開始してから、前記応答かごの搭乗率に応じて、前記発光させた乗場呼びボタンの発光態様を制御する、請求項１に記載の発光制御装置。
【請求項３】
１つのエレベータ乗場における前記乗場呼びボタンのユニット数は、当該エレベータ乗場に停止可能なかごの数未満であり、
乗場呼びボタンの押下に対して割り当てられた割当かごを特定する特定部をさらに備え、
前記発光制御部は、前記特定された割当かごの搭乗率に応じて、前記発光させた乗場呼びボタンの発光態様を制御する、請求項１または２に記載の発光制御装置。
【請求項４】
前記発光制御部は、前記発光させた乗場呼びボタンの発光色の濃さを、搭乗率が高くなるほど濃くする、請求項１から３のいずれか１項に記載の発光制御装置。
【請求項５】
前記発光制御部は、前記応答かごが、前記乗場呼び発生階床に停止せず通過することが決定した場合、前記応答かごの搭乗率に応じた制御がなされている乗場呼びボタンの発光態様を変更する、請求項１から４のいずれか１項に記載の発光制御装置。
【請求項６】
エレベータ乗場に設けられた乗場呼びボタンが押下されたことに基づき、当該押下された乗場呼びボタンを発光させる発光制御装置の制御方法であって、
エレベータのかごの搭乗率を特定可能な情報を取得する取得ステップと、
乗場呼びボタンの押下への応答として、当該乗場呼びボタンが設けられた乗場呼び発生階床へ向かう応答かごの前記情報に基づき特定された搭乗率に応じて、前記発光させた乗場呼びボタンの発光態様を制御する発光制御ステップと、を含む、発光制御装置の制御方法。
【発明の詳細な説明】
【技術分野】
【０００１】
本発明は乗り場呼びボタンの発光を制御する発光制御装置などに関する。
【背景技術】
【０００２】
下記の特許文献１〜３には、エレベータのかごの搭乗率、すなわち、かごの定員に対する現在の搭乗人数を、エレベータ乗場にて表示する技術が開示されている。例えば、特許文献１には、エレベータの号機ごとに搭乗人数表示手段を設置しておき、或る階のエレベータ乗場からの呼びに応答して当該階に向かう号機の搭乗人数表示手段において、かご内混雑度のリアルタイム表示を行う技術が開示されている。
【先行技術文献】
【特許文献】
【０００３】
【特許文献１】特開平７−６９５５３号公報
【特許文献２】特開昭６３−３１０４８４号公報
【特許文献３】特開平３−２２３０７５号公報
【発明の概要】
【発明が解決しようとする課題】
【０００４】
しかしながら、従来技術では、エレベータ乗場における搭乗人数の提示を実現するために、新たな提示手段をエレベータ乗場に設置しなければならず、コストがかかるという問題がある。
【０００５】
本発明の一態様は、上記の課題に鑑み、コストをかけずにエレベータ乗場での搭乗率の提示を実現することを目的とする。
【課題を解決するための手段】
【０００６】
上記の課題を解決するために、本発明の態様１に係る発光制御装置は、エレベータ乗場に設けられた乗場呼びボタンが押下されたことに基づき、当該押下された乗場呼びボタンを発光させる発光制御装置であって、エレベータのかごの搭乗率を特定可能な情報を取得する取得部と、乗場呼びボタンの押下への応答として、当該乗場呼びボタンが設けられた乗場呼び発生階床へ向かう応答かごの前記情報に基づき特定された搭乗率に応じて、前記発光させた乗場呼びボタンの発光態様を制御する発光制御部と、を備える。
【０００７】
前記の構成によれば、乗場呼びボタンの発光態様を制御することで、エレベータ乗場でかごの到着を待つ利用者に、当該かごの搭乗率を示すことができる。つまり、エレベータ乗場に新たな表示デバイスを追加することなく、利用者に搭乗率を示すことができる。よって、コストをかけずにエレベータ乗場での搭乗率の提示を実現することができる。
【０００８】
また、本発明の態様２に係る発光制御装置は、前記態様１において、前記発光制御部は、前記応答かごが前記乗場呼び発生階床へ近づく方向の移動を開始してから、前記応答かごの搭乗率に応じて、前記発光させた乗場呼びボタンの発光態様を制御してもよい。
【０００９】
前記の構成によれば、応答かごが乗場呼び発生階床から遠ざかっている場合は、搭乗率に応じて発光態様の制御を行わないので、エレベータ乗場でかごの到着を待つ利用者にとって必要な搭乗率、すなわち、乗場呼び発生階床に近づいているときの搭乗率のみを利用者に提示することができる。
【００１０】
また、本発明の態様３に係る発光制御装置は、前記態様１または２において、１つのエレベータ乗場における前記乗場呼びボタンのユニット数は、当該エレベータ乗場に停止可能なかごの数未満であり、乗場呼びボタンの押下に対して割り当てられた割当かごを特定する特定部をさらに備え、前記発光制御部は、前記特定された割当かごの搭乗率に応じて、前記発光させた乗場呼びボタンの発光態様を制御してもよい。
【００１１】
前記の構成によれば、かごと乗場呼びボタンとが１対１で対応していない場合であっても、乗場呼びボタンが押下された階床に到着する号機のかごの搭乗率を利用者に提示することができる。なお、「乗場呼びボタンのユニット数」とは、１つのエレベータ乗り場における、同一のエレベータを制御対象とするボタンの組の数である。
【００１２】
また、本発明の態様４に係る発光制御装置は、前記態様１から３のいずれかにおいて、前記発光制御部は、前記発光させた乗場呼びボタンの発光色の濃さを、搭乗率が高くなるほど濃くしてもよい。
【００１３】
前記の構成によれば、かごの搭乗率が低いと発光色が淡くなり、搭乗率が高いと発光色が濃くなる。これにより、エレベータ乗場でかごの到着を待つ利用者は、乗場呼びボタンの発光色の濃淡から、到着するかごの搭乗率を直感的に理解することができる。
【００１４】
また、本発明の態様５に係る発光制御装置は、前記態様１から４のいずれかにおいて、前記発光制御部は、前記応答かごが、前記乗場呼び発生階床に停止せず通過することが決定した場合、前記応答かごの搭乗率に応じた制御がなされている乗場呼びボタンの発光態様を変更してもよい。
【００１５】
前記の構成によれば、エレベータ乗場でかごの到着を待つ利用者に、近づいているかごが停止せず通過すること、すなわち、当該かごには搭乗できないことを認識させることができる。なお、「搭乗率に応じた制御がなされている乗場呼びボタンの発光態様を変更する」とは、例えば、所定の発光色で点灯している乗場呼びボタンを点滅させるなどである。
【００１６】
また、上記の課題を解決するために、本発明の態様６に係る発光制御装置の制御方法は、エレベータ乗場に設けられた乗場呼びボタンが押下されたことに基づき、当該押下された乗場呼びボタンを発光させる発光制御装置の制御方法であって、エレベータのかごの搭乗率を特定可能な情報を取得する取得ステップと、乗場呼びボタンの押下への応答として、当該乗場呼びボタンが設けられた乗場呼び発生階床へ向かう応答かごの前記情報に基づき特定された搭乗率に応じて、前記発光させた乗場呼びボタンの発光態様を制御する発光制御ステップと、を含む。
【００１７】
前期の構成によれば、態様１に係る発光制御装置と同様の作用効果を奏する。
【００１８】
本発明の各態様に係る発光制御装置は、コンピュータによって実現してもよく、この場合には、コンピュータを前記発光制御装置が備える各部（ソフトウェア要素）として動作させることにより前記発光制御装置をコンピュータにて実現させる発光制御装置の制御プログラム、およびそれを記録したコンピュータ読み取り可能な記録媒体も、本発明の範疇に入る。
【発明の効果】
【００１９】
本発明の一態様によれば、コストをかけずにエレベータ乗場での搭乗率の提示を実現することができる。
【図面の簡単な説明】
【００２０】
【図１】本発明の実施形態１に係る発光制御装置の要部構成の一例を示すブロック図である。
【図２】図１に示す発光制御装置を含むエレベータシステムの一例を示す概要図である。
【図３】エレベータ乗り場の一例を示す概要図である。
【図４】第３条件における所定の時点の具体例を示す図である。
【図５】乗り場呼びボタンの発光部における発光態様の具体例を示す図である。
【図６】図１に示す発光制御装置が記憶している発光パターンの一具体例を示す図である。
【図７】図１に示す発光制御装置が実行する発光制御処理の流れの一例を示すフローチャートである。
【図８】本発明の実施形態２に係る発光制御装置が実行する発光制御処理の流れの一例を示すフローチャートである。
【図９】図１に示す発光制御装置が記憶している発光パターンの変形例を示す図である。
【図１０】本発明の各実施形態の変形例に係る表示制御装置の要部構成の一例を示すブロック図である。
【発明を実施するための形態】
【００２１】
〔実施形態１〕
以下、本発明の一実施形態について、詳細に説明する。図１は、本実施形態に係る発光制御装置１（表示制御装置）の要部構成の一例を示すブロック図である。図２は、発光制御装置１を含むエレベータシステムの一例を示す概要図である。
【００２２】
＜エレベータシステムの概要＞
図１および図２に示すように、エレベータシステムは、発光制御装置１、乗り場呼びボタン２（搭乗率表示装置）およびエレベータ群管理システム３を含む。
【００２３】
（発光制御装置１）
発光制御装置１は、乗り場呼びボタン２の発光を制御する。発光制御装置１の詳細については後述する。
【００２４】
（乗り場呼びボタン２）
乗り場呼びボタン２は、エレベータ乗り場に設けられたボタンである。エレベータの利用者（以下、単に「利用者」と表記する）が乗り場呼びボタン２を押下すると、エレベータシステムにおいて乗り場呼びが発生する。そして、当該乗り場呼びに応じて、当該利用者のいる階床（乗場呼び発生階床、以下、「呼び発生階」と表記する）にエレベータのかごが移動し、利用者は当該かごに搭乗することができる。換言すれば、乗り場呼びボタン２の押下により、呼び発生階へかごを移動させるための乗り場呼びが登録される。
【００２５】
図２に示すように、乗り場呼びボタン２は各階床のエレベータ乗り場に設けられる。図２では、５階建ての建物にエレベータシステムを適用した例を示している。そのため、図２では、１階から５階の各々に設けられた乗り場呼びボタン２を、乗り場呼びボタン２Ａ、２Ｂ、２Ｃ、２Ｄ、２Ｅと表記している。なお、建物の階床数はこの例に限定されない。
【００２６】
乗り場呼びボタン２は、発光部２０を含む。発光部２０は、乗り場呼びボタン２のカバーの奥に設けられ、発光制御装置１の制御により、発光（点灯）、点滅、消灯を行う。発光部２０は、例えばＬＥＤ（light-emitting diode）により実現される。当該カバーの少なくとも一部は、発光部２０が発する光を透過する材料でできており、利用者は発光部２０が発する光を視認することができる。
【００２７】
（エレベータ群管理システム３）
エレベータ群管理システム３は、複数台のエレベータの各々の制御に関し、各エレベータの制御装置を統括して制御するシステムである。図２では、複数台のエレベータの一例として、２台のエレベータ４Ａおよび４Ｂを示している。以降、エレベータ４Ａおよび４Ｂを区別しないときには、単に「エレベータ４」と表記する。なお、エレベータ４の台数、すなわち、エレベータ群管理システム３により制御されるエレベータの台数はこの例に限定されない。
【００２８】
エレベータ群管理システム３は、利用者により乗り場呼びボタン２が押下されたことを示す押下信号を取得すると、呼び発生階へかごを移動させるエレベータ４を決定し、当該エレベータの制御装置へかごの移動を指示する。なお、以降、呼び発生階へかごを移動させるエレベータ４を「割当号機」と表記する。また、エレベータ群管理システム３は、割当号機を決定すると、当該割当号機を示す情報を発光制御装置１へ送信する。
【００２９】
（エレベータ４）
エレベータシステムは、さらに、エレベータ４を含む。エレベータ４Ａは、かご５Ａおよび制御盤６Ａを含む。エレベータ４Ｂは、かご５Ｂおよび制御盤６Ｂを含む。なお、エレベータ４において、本実施形態に係る発明との関連性が低い部材については、図面における記載および本明細書での説明を省略する。また、かご５Ａおよびかご５Ｂ、並びに、制御盤６Ａおよび６Ｂを区別しないときには、単に「かご５」および「制御盤６」と表記する。
【００３０】
（かご５および制御盤６）
かご５は、利用者を乗せて建物の階床間を移動する。具体的には、かご５は制御盤６により制御され、昇降路内を移動する。制御盤６は、上述したエレベータ４の制御装置に相当する。制御盤６は、エレベータ群管理システム３の指示に基づき、かご５を呼び発生階へ移動させる。
【００３１】
＜エレベータ乗り場の概要＞
図３は、エレベータ乗り場の一例を示す概要図である。エレベータ乗り場には、乗り場ドア７Ａおよび７Ｂ、並びに、乗り場呼びボタン２が設けられている。乗り場ドア７Ａが、エレベータ４Ａの乗り場ドアであり、乗り場ドア７Ｂが、エレベータ４Ｂの乗り場ドアである。なお、乗り場ドア７Ａおよび７Ｂを区別しないときには、単に「乗り場ドア７」と表記する。
【００３２】
図３に示す例では、２台のエレベータ４Ａおよび４Ｂに対して、１つの乗り場呼びボタン２が設けられている。つまり、上述したとおり、乗り場呼びボタン２が押下された場合、エレベータ群管理システム３がいずれのエレベータ４のかご５を呼び発生階へ移動させるかを決定し、決定されたエレベータ４のかご５が当該階床へ移動する。
【００３３】
中間階（図２の例では２階、３階および４階）の乗り場呼びボタン２は、図３に示すように、上指定ボタン２１および下指定ボタン２２を含む。上指定ボタン２１は、利用者の行先階が呼び発生階の上階である場合に押下される。下指定ボタン２２は、利用者の行先階が呼び発生階の下階である場合に押下される。エレベータ群管理システム３は、上指定ボタン２１と下指定ボタン２２のいずれが押下されたかに基づき、呼び発生階へかご５を移動させるエレベータ４を決定する。なお、最下階（図２の例では１階）の乗り場呼びボタン２は、上指定ボタン２１のみを含む。また、最上階（図２の例では５階）の乗り場呼びボタン２は、下指定ボタン２２のみを含む。
また、上指定ボタン２１および下指定ボタン２２が押下された場合、これらボタンの内部に設けられた発光部２０が発光する。図３の例では、上指定ボタン２１が押下されたことにより、上指定ボタン２１の内部に設けられた発光部２０が発光している例を示している。なお、以下の記載では、単に発光部２０と記載した場合、呼び発生階の上指定ボタン２１および下指定ボタン２２のうち、押下されたボタンの内部に設けられた発光部２０を指すものとする。
【００３４】
＜発光制御装置１の要部構成＞
図１に示すように、発光制御装置１は、制御部１０および記憶部１１を備えている。制御部１０は、発光制御装置１の各部を統括して制御する。記憶部１１は、発光制御装置１が使用するデータを記憶するデバイスであり、ストレージと表現することもできる。制御部１０は一例として、プロセッサおよびメモリにより実現される。この例において、プロセッサは、記憶部１１にアクセスし、記憶部１１に格納されているプログラム（不図示）をメモリにロードし、当該プログラムに含まれる一連の命令を実行する。これにより、制御部１０の各部が構成される。
【００３５】
制御部１０は、上記各部として、割当号機特定部１０１（特定部）、条件判定部１０２、搭乗率特定部１０３（取得部）および発光制御部１０４（表示制御部）を含む。
【００３６】
割当号機特定部１０１は、エレベータ群管理システム３が、いずれのエレベータ４のかご５を呼び発生階へ移動させるかを特定する。割当号機特定部１０１は、エレベータ群管理システム３から、割当号機を示す情報を取得することにより、当該エレベータ４を特定する。割当号機特定部１０１は、当該エレベータを示す情報を条件判定部１０２へ出力する。
【００３７】
条件判定部１０２は、割当号機が所定の条件が成立しているか否かを判定する。所定の条件とは、割当号機のかご５（対象かご、応答かご）の搭乗率に応じて、発光部２０の発光態様を制御するか否かを決定するための条件である。当該条件は、以下の第１条件、第２条件、第３条件および第４条件を含む。第１条件は、「乗り場呼びの方向と割当号機のかご５の移動方向が同一である」である。第２条件は、「かご５の移動方向が呼び発生階へ近づく方向である」である。第３条件は、「かご５が呼び発生階に停止する前に、別の階床に停止できない」である。第４条件は、「第１条件から第３条件のうち第１条件のみが成立しておらず、かつ、呼び発生階に停止後、乗り場呼びの方向に移動するとの決定がなされた」である。なお、「乗り場呼びの方向」とは、呼び発生階で上指定ボタン２１および下指定ボタン２２のいずれが押下されたかに相当する。上指定ボタン２１が押下された場合、乗り場呼びの方向は上方向である。下指定ボタン２２が押下された場合、乗り場呼びの方向は下方向である。
【００３８】
条件判定部１０２は、割当号機において発生した動作を示す状態データを、エレベータ群管理システム３から取得する。そして、条件判定部１０２は、当該取得した状態データに基づき、上記第１条件から第４条件が成立しているか否かを判定する。なお、状態データとは、エレベータ４の動作において発生した事象を示す情報である。状態データは、エレベータ群管理システム３および制御盤６の少なくともいずれかで生成される。条件判定部１０２は、乗り場呼びボタン２が押下されてから、呼び発生階に割当号機のかご５が停止するまでの期間の状態データを取得することにより、上記第１条件から第４条件が成立しているか否かを判定する。
例えば、条件判定部１０２は、乗り場呼びボタン２が押下されたことを示す状態データに含まれる乗り場呼びの方向と、割当号機が移動開始したことを示す状態データに含まれる移動方向とに基づき、第１条件が成立しているか否かを判定する。また、条件判定部１０２は、乗り場呼びボタン２が押下されたことを示す状態データに含まれる呼び発生階と、割当号機が移動開始したことを示す状態データに含まれる移動方向とに基づき、第２条件が成立しているか否かを判定する。また、条件判定部１０２は、所定の時点において、乗り場呼びボタン２が押下されたことを示す状態データが１つのみである（呼び発生階のみである）か否かを判定することにより、第３条件が成立しているか否かを判定する。ここで、所定の時点とは、割当号機のかご５が呼び発生階に停止する前の時点であり、呼び発生階以外の階床で乗り場呼びボタン２が押下されても、呼び発生階に停止する前に当該階床に停止できない時点である。所定の時点の詳細については後述する。
【００３９】
また、条件判定部１０２は、第１条件、第２条件、第３条件が成立しているか否かを判定したうえで、第４条件が成立しているか否かを判定する。具体的には、条件判定部１０２は、呼び発生階を基準として、乗り場呼びの方向と逆方向の階床にて乗り場呼びボタン２が押下されたことを示す状態データがあるか否かを判定することにより、第４条件が成立しているか否かを判定する。例えば、図２において呼び発生階が３階であり、乗り場呼びの方向が上方向である場合、呼び発生階に近づきながら下方向に移動している割当号機において、１階または２階で呼びが発生しているか否かを判定する。
【００４０】
条件判定部１０２は、第１条件、第２条件および第３条件が成立した場合、または、第４条件が成立した場合、割当号機のかご５の搭乗率の特定指示を搭乗率特定部１０３へ出力する。
【００４１】
（第３条件における所定の時点）
図４は、第３条件における所定の時点の具体例を示す図である。図４は、建物の３階にて乗り場呼びボタン２の下指定ボタン２２が押下され、割当号機が３階より上の階床から下方向に移動する例を示す。つまり、矢印５１は乗り場呼びの方向を示し、矢印５２はかごの移動方向を示す。
【００４２】
パターン４０では、所定の時点が、移動中のかご５が、次に呼び発生階へ停止することが決定する停止決定位置に到達した時点である。矢印５３が、かご５が移動中であることを示す。つまり、パターン４０において、かご５が停止決定位置に到達した場合、例えば４階にて乗り場呼びボタン２が押下されたとしても、かご５は４階には停止しない。なお、図４の例において、停止決定位置は、移動中のかご５を呼び発生階へ停止させるための減速を開始する減速決定位置であると表現することもできる。
【００４３】
パターン４１では、所定の時点が、かご５が呼び発生階の隣接階に停止した時点である。隣接階とは、呼び発生階の１つ上の階床または１つ下の階床であり、パターン４１では、乗り場呼びの方向とかご５の移動方向とが下方向であるため、第１および第２条件が成立する隣接階は、３階の１つ上の階床である４階となる。かご５の移動方向が下方向であり、かご５が４階に停止しているので、移動を再開したかご５は呼び発生階以外の階床に停止し得ない。
【００４４】
条件判定部１０２は、パターン４０の場合、乗り場呼びボタン２が押下されたことを示す状態データが１つのみである状態で、３階に停止するための減速を開始したことを示す状態データを取得したとき、第３条件が成立したと判定する。また、条件判定部１０２は、パターン４１の場合、呼び発生階の乗り場呼びボタン２が押下されたことを示す状態データを取得している状態で、第１および第２条件が成立する隣接階に停止したことを示す状態データを取得したとき、第３条件が成立したと判定する。
【００４５】
搭乗率特定部１０３は、割当号機のかご５の搭乗率を特定する。ここで、搭乗率とは、かご５の定員に対応する上限値に対し、現在のかご５の搭乗人数に対応する現在値が占める割合である。本実施形態では、搭乗率が、割当号機の定員に対応する荷重（かご５の最大積載重量）に対し、現在の荷重（現時点のかご５の積載重量）が占める割合である例を説明する。搭乗率特定部１０３は、一例として、状態データに基づき搭乗率を特定する。具体的には、搭乗率特定部１０３は、割当号機における、利用者がかご５に搭乗したことを示す状態データのうち、直近の状態データ（搭乗率に関する情報）を取得し、当該状態データに含まれる搭乗率を特定する。なお、搭乗率特定部１０３は、当該状態データを条件判定部１０２から取得してもよいし、エレベータ群管理システム３から取得してもよい。搭乗率特定部１０３は、特定した搭乗率を発光制御部１０４へ出力する。
【００４６】
発光制御部１０４は、乗り場呼びボタン２の発光部２０を制御する。発光制御部１０４は、乗り場呼びボタン２が押下されたことを検出すると発光部２０を発光させる。また、発光制御部１０４は、搭乗率特定部１０３から搭乗率を取得すると、当該搭乗率に応じた態様で、押下されたボタンの発光部２０を発光させる。具体的には、発光制御部１０４は、取得した搭乗率と、記憶部１１に記憶されている発光パターン１１１とに基づき、発光部２０の発光態様を決定する。
【００４７】
図５は、発光部２０における発光態様の具体例を示す図である。図５では、上指定ボタン２１が押下された例を示している。パターン３０は、搭乗率を特定していない場合の発光態様を示す。搭乗率を特定していない場合とは、例えば、乗り場呼びボタン２が押下された直後や、条件判定部１０２が、搭乗率の特定指示を搭乗率特定部１０３へ出力していない場合などである。パターン３０では、発光制御部１０４は、発光部２０を第１色で発光させる。第１色は例えば橙色であってもよい。
【００４８】
一方、パターン３１、３２、３３は、搭乗率を特定している場合の発光態様を示す。換言すれば、パターン３１、３２、３３は、発光制御部１０４が搭乗率を取得した場合の発光態様を示す。パターン３１は搭乗率が１０％、パターン３２は搭乗率が５０％、パターン３３は搭乗率が９０％の場合の発光態様を示している。パターン３１、３２、３３では、発光制御部１０４は、発光部２０を第２色で発光させる。第２色は例えば青色であってもよい。また、搭乗率を特定している場合、発光制御部１０４は、第２色の濃淡を搭乗率に応じて制御する。具体的には、発光制御部１０４は、第２色の濃さが、搭乗率が高いほど濃くなるように発光部２０を制御する。
【００４９】
図６は、発光パターン１１１の一具体例を示す図である。本実施形態では、発光パターン１１１は、搭乗率の数値範囲と、第２色の濃度とを対応付けて格納するデータテーブルである。図６に示す「搭乗率（％）」のカラムに格納された情報が上記数値範囲であり、「発光色濃度」のカラムに格納された情報が上記濃度である。発光制御部１０４は、取得した搭乗率が２０％以上４０％未満の数値範囲内にある場合、発光パターン１１１に基づき、発光色濃度を０（基準値）と特定する。同様に、発光制御部１０４は、取得した搭乗率が０％である場合、発光パターン１１１に基づき、発光色濃度を−４０と特定する。また、発光制御部１０４は、取得した搭乗率が８０％以上である場合、発光パターン１１１に基づき、発光色濃度を＋６０と特定する。
【００５０】
ここで、上記濃度についてより具体的に説明する。記憶部１１には、各濃度（−４０、−２０、０、２０、４０および６０）と発光色とを対応付けた発光色データテーブル（不図示）があらかじめ格納されている。各濃度に対応付けられた発光色とは、０に対応付けられた第２色（例えば、青色、以下、「基準色」と表記する）と同じ色相の発光色である。負の値の濃度に対応付けられた発光色は、基準色より薄い色（例えば、薄い青色や水色）であり、正の値の濃度に対応付けられた発光色は、基準色より濃い色（例えば、濃い青色）である。
【００５１】
発光制御部１０４は、発光データテーブルに基づき発光色を特定し、当該発光色で発光部２０を発光させる。以上により、第２色の濃淡による搭乗率の提示が実現される。
【００５２】
＜発光制御処理の流れ＞
図７は、発光制御装置１が実行する発光制御処理の流れの一例を示すフローチャートである。
【００５３】
発光制御部１０４は、乗り場呼びボタン２の押下を待機している（ステップＳ１、以下、「ステップ」の記載を省略）。乗り場呼びボタン２の押下を検出すると（Ｓ１でＹＥＳ）、発光制御部１０４は発光部２０を通常の発光色、すなわち第１色で発光させる（Ｓ２）。
【００５４】
続いて、割当号機特定部１０１は、エレベータ群管理システム３から受信した情報に基づき、割当号機を特定する（Ｓ３、特定ステップ）。割当号機特定部１０１は、割当号機を示す情報を条件判定部１０２へ出力し、条件判定部１０２は、割当号機の状態データをエレベータ群管理システム３から受信する。
【００５５】
条件判定部１０２は、割当号機のかご５が呼び発生階へ近づいているか否かを判定する（Ｓ４）。換言すれば、条件判定部１０２は、割当号機において第２条件が成立しているか否かを判定する。第２条件が成立している場合（Ｓ４でＹＥＳ）、条件判定部１０２は、割当号機のかご５が呼び発生階のみに停止するか否かを判定する（Ｓ５）。換言すれば、条件判定部１０２は、割当号機において第３条件が成立しているか否かを判定する。第３条件が成立している場合（Ｓ５でＹＥＳ）、条件判定部１０２は、割当号機のかご５の移動方向と乗り場呼びの方向とが同一であるか否かを判定する（Ｓ６）。換言すれば、条件判定部１０２は、割当号機において第１条件が成立しているか否かを判定する。第１条件が成立している場合（Ｓ６でＹＥＳ）、条件判定部１０２は、搭乗率の特定指示を搭乗率特定部１０３へ出力する。
【００５６】
一方、第１条件が成立していない場合（Ｓ６でＮＯ）、条件判定部１０２は、割当号機のかご５が呼び発生階に停止後、乗り場呼びの方向へ移動するか否かを判定する（Ｓ７）。換言すれば、条件判定部１０２は、割当号機において第４条件が成立しているか否かを判定する。第４条件が成立している場合（Ｓ７でＹＥＳ）、条件判定部１０２は、搭乗率の特定指示を搭乗率特定部１０３へ出力する。
【００５７】
搭乗率特定部１０３は、指示に基づき、割当号機のかご５の搭乗率を特定する（Ｓ８、取得ステップ）。搭乗率特定部１０３は、特定した搭乗率を発光制御部１０４へ出力する。
【００５８】
発光制御部１０４は、特定した搭乗率に応じた濃度で、押下されたボタンの発光部２０を発光させる（Ｓ９、表示制御ステップ、発光制御ステップ）。すなわち、第１色で発光している発光部２０を、搭乗率に応じた濃度の第２色で発光するよう制御する。
【００５９】
発光制御部１０４は、割当号機のかご５の呼び発生階への到着を待機する状態となる（Ｓ１０）。当該かご５が呼び発生階へ到着したことを検出すると、発光制御部１０４は、発光部２０の発光を終了させ（Ｓ１１）、発光制御処理が終了する。
【００６０】
なお、第２条件が成立していない場合（Ｓ４でＮＯ）、第３条件が成立していない場合（Ｓ５でＮＯ）および第４条件が成立していない場合（Ｓ７でＮＯ）、制御部１０は、発光制御処理はＳ４に戻る。つまり、発光制御処理は、第１条件、第２条件および第３条件が成立するか、または、第４条件が成立するまで、Ｓ８の処理を実行しない。
＜効果＞
本実施形態に係る発光制御装置１は、第１条件、第２条件、第３条件が成立した割当号機のかご５の搭乗率を含む状態データを取得する搭乗率特定部１０３を備える。また、発光制御装置１は、当該搭乗率に応じた発光態様で発光部２０を発光させる発光制御部１０４を備える。
【００６１】
この構成によれば、第１条件、第２条件および第３条件が成立した場合、搭乗率に応じた発光態様で発光部２０を発光させるので、当該発光が示す搭乗率は、一時的あるいは完全に、かご５が呼び登録階に到着するまで変化しないものとなる。換言すれば、割当号機のかご５は、発光が示す搭乗率のまま、呼び発生階に到着する可能性が高いものとなる。よって、利用者は、乗り場呼びボタン２の発光が示す搭乗率に応じて、割当号機に搭乗するか否かを容易に判断することができる。結果として、エレベータの利用者が混乱しないような、エレベータ乗場での搭乗率の提示を実現することができる。
【００６２】
また、エレベータ乗り場に必ず設置されている乗り場呼びボタン２の発光部２０の発光態様を制御することにより、かご５の搭乗率を利用者に認知させるので、エレベータ乗り場に新たな表示デバイスや発光デバイスを追加する必要がない。結果として、コストをかけずにエレベータ乗り場での搭乗率の提示を実現することができる。
【００６３】
また、第３条件は、割当号機のかご５が、呼び発生階に停止する前に、別の階床に停止することができなくなった場合にのみ成立する。一例として、第３条件は、当該かご５を呼び発生階に停止させるためにかご５を減速させることを決定した場合に成立する。換言すれば、第３条件は、移動中のかご５が、呼び発生階に応じて決まる減速決定位置（停止決定位置）に到達した場合に成立する。また、別の例として、第３条件は、当該かご５が呼び発生階の直上または直下の階床に停止した場合に成立する。
【００６４】
この構成によれば、当該かご５が呼び発生階に到着するまでに、別の階床に止まらないことが確定したタイミングでのみ、発光部２０を搭乗率に応じて発光させるので、当該発光が示す搭乗率は、当該かご５が呼び発生階に到着するまでに変化しないことが確定する。よって、利用者は、発光制御装置１による発光が示す搭乗率に応じて、割当号機に搭乗するか否かをさらに容易に判断することができる。
【００６５】
また、搭乗率特定部１０３は、第４条件が成立した場合、割当号機のかご５の搭乗率を含む状態データを取得する。換言すれば、第２条件および第３条件が成立し、第１条件が成立していない場合に、当該かご５が呼び発生階に停止後、乗り場呼びの方向に移動するとの決定がなされた場合、当該かごの搭乗率を含む状態データを取得する。つまり、発光制御部１０４は、第４条件が成立した場合、取得された搭乗率に応じた発光態様で発光部２０を発光させる。
【００６６】
この構成によれば、割当号機のかご５の移動方向が乗り場呼びの方向と反対であっても、当該かご５が呼び発生階に停止した後、反転して乗り場呼びの方向へ移動する場合は、搭乗率に応じた発光態様で発光部２０を発光させる。これにより、エレベータの利用者の望む方向に移動するかご５について、利用者が混乱しないような、エレベータ乗場での搭乗率の提示を、漏れなく実現することができる。
【００６７】
また、本実施形態に係るエレベータシステムにおいて、１つのエレベータ乗り場における乗り場呼びボタン２の数は、当該エレベータ乗り場に停止可能なかご５の数未満である。また、発光制御装置１は、乗り場呼びボタン２の押下に対して割り当てられた割当号機を特定する割当号機特定部１０１をさらに備える。また、発光制御部１０４は、割当号機の搭乗率に応じて、乗り場呼びボタン２の発光態様を制御する。
【００６８】
この構成によれば、かご５と乗場呼びボタン２とが１対１で対応していない場合であっても、乗場呼びボタン２が押下された階床に到着する割当号機のかご５の搭乗率を利用者に提示することができる。
【００６９】
また、発光制御部１０４は、乗り場呼びボタンの発光色の濃さを、搭乗率が高くなるほど濃くすることにより、呼び発生階の利用者に割当号機のかご５の搭乗率を提示する。この構成によれば、かご５の搭乗率が低いと発光色が淡くなり、搭乗率が高いと発光色が濃くなる。これにより、エレベータ乗場でかご５の到着を待つ利用者は、乗場呼びボタンの点灯色の濃淡から、到着するかごの搭乗率を直感的に理解することができる。
【００７０】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００７１】
本実施形態に係る発光制御装置１は、エレベータ４のかご５が呼び発生階に停止せず通過することが決定した場合、第１色または第２色で発光している発光部２０の発光態様を変更する。一例として、発光制御装置１は、第１色または第２色で発光している発光部２０を、エレベータ４のかご５が呼び発生階に停止せず通過することが決定してから、通過するまでの期間点滅させる。
【００７２】
なお、エレベータ４のかご５が呼び発生階に停止せず通過することが決定した場合とは、例えば、割当号機のかご５の搭乗率が１００％、すなわち当該かご５の搭乗者が定員に到達した状態で、呼び発生階に到達することが決定した場合である。
【００７３】
条件判定部１０２は、例えば、直近の搭乗率を示す状態データにおいて搭乗率が１００％である状況で、呼び発生階の減速決定位置を通過した場合、その旨を発光制御部１０４に通知する。発光制御部１０４は、当該通知に基づき発光部２０を点滅させる。呼び発生階の減速決定地を通過したことを示す情報は、状態データとして取得されてもよいし、状態データと異なる情報として取得されてもよい。
【００７４】
また、エレベータ４のかご５が呼び発生階に停止せず通過することが決定した場合の別の例は、エレベータ４のかご５が次に停止する階床が、呼び発生階より後に到達する階床に決定した場合である。具体例としては、呼び発生階が３階であり、かご５が上方向に進行して３階に近づいている場合において、当該かご５に搭乗している搭乗者が行先階として４階を登録している場合などがあげられる。この場合、かご５は３階を通過し、４階に停止する。当該かご５が割当号機のかごである場合、かご５は、５階が行先階として登録されていなければ、４階に停止した後移動方向を反転させて、呼び発生階である３階まで移動し、停止する。
【００７５】
条件判定部１０２は、例えば、２つの階床で乗り場呼びボタン２が押下されたことを示す状態データを取得し、かつ、当該２つの階床のうち、かご５が後に到達する階床のみが搭乗者の行先階として登録されていることを示す状態データを取得した場合、その旨を発光制御部１０４に通知する。発光制御部１０４は、当該通知に基づき発光部２０を点滅させる。
【００７６】
なお、上記別の例においては、かご５は、割当号機のかごでなくてもよい。このため、本実施形態に係る条件判定部１０２は、エレベータ群管理システム３が制御するすべてのエレベータ４の状態データを取得する。
【００７７】
＜発光制御処理の流れ＞
図８は、発光制御装置１が実行する発光制御処理の流れの一例を示すフローチャートである。なお、図８は、図７に示すフローチャートのＳ１〜Ｓ３が実行された後の処理の流れを示している。
【００７８】
条件判定部１０２は、エレベータ群管理システム３が制御するすべてのエレベータ４の状態データに基づき、呼び発生階へ近づくかご５があるか否かを判定する（Ｓ２１）。当該かご５がある場合（Ｓ２１でＹＥＳ）、条件判定部１０２は、エレベータ４のうち、割当号機が搭乗率算出の条件を満たすか否かを判定する（Ｓ２２）。すなわち、条件判定部１０２はＳ２２において、図７のＳ４〜Ｓ７の処理を実行する。
【００７９】
割当号機が条件を満たす場合（Ｓ２２でＹＥＳ）、制御部１０は、Ｓ８およびＳ９の処理を実行する。当該処理については図７を参照してすでに説明しているため、ここでは説明を繰り返さない。Ｓ８およびＳ９の処理が実行されることにより、発光部２０が、搭乗率に応じた濃度の第２色で発光する。
【００８０】
なお、割当号機が条件を満たさない場合（Ｓ２２でＮＯ）、制御部１０はＳ８およびＳ９の処理を実行しない。このため、発光部２０は、第１色での発光を継続する。
【００８１】
条件判定部１０２は、呼び発生階へ近づくかご５が、呼び発生階を通過することが決定したか否かを判定する（Ｓ２３）。通過することが決定したと判定した場合（Ｓ２３でＹＥＳ）、条件判定部１０２はその旨を発光制御部１０４へ通知する。発光制御部１０４は、当該通知を受けると、第１色または第２色で発光している発光部２０を点滅させる（Ｓ２４）。
【００８２】
条件判定部１０２は、取得した状態データを参照し、かご５が呼び発生階を通過するまで待機する（Ｓ２５）。通過したことを検出した場合（Ｓ２５でＹＥＳ）、条件判定部１０２はその旨を発光制御部１０４へ通知する。発光制御部１０４は、当該通知を受けると、発光部２０の点滅を終了させる（Ｓ２６）。そして、発光制御処理は、図７に示すフローチャートのＳ１０へ進む。
【００８３】
なお、条件判定部１０２が、呼び発生階へ近づくかご５がないと判定した場合（Ｓ２１でＮＯ）、および、呼び発生階へ近づくかご５が、呼び発生階を通過しないと判定した場合（Ｓ２３でＮＯ）、発光制御処理は、Ｓ２１へ戻る。
＜効果＞
本実施形態に係る発光制御装置１の発光制御部１０４は、呼び発生階へ近づくかご５がある、すなわち、少なくとも第２条件が成立しているかご５について、呼び発生階を通過することが決定した場合、発光部２０を点滅させる。
【００８４】
前記の構成によれば、呼び発生階に近づいてくるかご５が、呼び発生階を通過することが決定した場合、発光部２０を点滅させて、当該かご５に搭乗できないことを通知する。これにより、呼び発生階でかご５を待つ利用者は、かご５が呼び発生階に到達する前に、当該かご５に搭乗できないことを認識することができる。これにより、当該利用者は、表示を確認した時点でエスカレータや階段などの代替手段を利用すると決定することができる。
【００８５】
〔変形例〕
発光制御装置１は、発光部２０を、搭乗率に応じた色相で発光させてもよい。図９は、発光パターン１１１の変形例を示す図である。本変形例に係る発光パターン１１１は、搭乗率の数値範囲の各々に、発光部２０の発光の色相を対応付けて格納するデータテーブルである。「発光色」のカラムに格納された情報が上記色相である。この発光パターン１１１を用いることにより、例えば、搭乗率が２０％以上４０％未満の数値範囲内にある場合、発光部２０は緑色に発光する。また例えば、搭乗率が０％である場合、発光部２０は白色に発光する。また例えば、搭乗率が８０％以上である場合、発光部２０は赤色に発光する。
上述した実施形態に係るエレベータシステムでは、乗り場呼びボタン２の発光部２０の発光態様を搭乗率に応じて制御する例を説明した。これに対し、エレベータシステムが搭乗率に応じた制御を行う制御対象は、発光部２０に限定されない。例えば、当該制御対象は、各エレベータ乗り場に設けられた表示装置であってもよい。すなわち、当該表示装置が、割当号機のかご５の搭乗率を示す表示を行ってもよい。当該表示装置は、例えば、各エレベータ乗り場においてエレベータ４ごとに設けられた、かご５の現在位置を示すインジケータであってもよい。
【００８６】
一例として、当該表示装置は、表示の背景色を、搭乗率に応じた濃度または色相としてもよい。別の例として、当該表示装置は、長さで搭乗率を示すバーを表示してもよい。
【００８７】
図１０は、上記表示装置である表示装置９９（搭乗率表示装置）を制御する表示制御装置９の要部構成を示すブロック図である。図１０に示すように、表示制御装置９は、制御部９０および記憶部９１を備えている。制御部９０は、表示制御装置９の各部を統括して制御する。記憶部９１は、表示制御装置９が使用するデータを記憶するデバイスであり、ストレージと表現することもできる。制御部９０は一例として、プロセッサおよびメモリにより実現される。この例において、プロセッサは、記憶部９１にアクセスし、記憶部９１に格納されているプログラム（不図示）をメモリにロードし、当該プログラムに含まれる一連の命令を実行する。これにより、制御部９０の各部が構成される。
【００８８】
制御部９０は、上記各部として、割当号機特定部１０１、条件判定部１０２、搭乗率特定部１０３および表示制御部９０４を含む。割当号機特定部１０１、条件判定部１０２および搭乗率特定部１０３については、すでに説明しているため、ここでは説明を繰り返さない。
【００８９】
表示制御部９０４は、表示装置９９の表示部９９０を制御する。表示制御部９０４は、搭乗率特定部１０３から搭乗率を取得すると、当該搭乗率に応じた表示を、表示部９９０に実行させる。なお、ここでは、表示の背景色を搭乗率に応じた濃度とする例を説明する。この場合、表示制御部９０４は、取得した搭乗率と、記憶部９１に記憶されている背景色パターン９１１とに基づき、背景色の濃度を決定する。なお、背景色パターン９１１としては、上述した発光パターン１１１を用いることができる。
【００９０】
なお、本変形例に係る表示装置９９は、以下のように表現することもできる。すなわち、表示装置９９は、第１条件、第２条件、第３条件が成立した割当号機のかご５について、これら条件が成立したタイミングから、呼び発生階に当該かご５が停止するまでの期間中に、当該かご５の搭乗率を示す表示を開始する表示部９９０を備える。
また、発光制御装置１は、乗り場呼びボタン２が押下された時点から、割当号機が到着するまで、搭乗率に応じた発光態様で発光部２０を発光させてもよい。換言すれば、発光制御装置１は、第１条件〜第４条件を判定することなく割当号機の搭乗率を示す状態データを取得し、当該搭乗率に応じた発光態様で発光部２０を発光させてもよい。この例の場合、制御部１０は条件判定部１０２を含んでいなくてもよい。
また、上述した実施形態では、乗り場呼びボタン２は上指定ボタン２１と、下指定ボタン２２との計２つのボタンを備える構成であったが、乗り場呼びボタン２が備えるボタンの数はこの例に限定されない。例えば、乗り場呼びボタン２は、車いすを使用している人向けの上指定ボタンおよび下指定ボタンをさらに備えていてもよい。
【００９１】
また、各エレベータ乗り場において、各エレベータと乗り場呼びボタン２とが１対１で対応付けられていてもよい。換言すれば、上述した実施形態のとおり、１つのエレベータ乗り場における乗り場呼びボタンのユニット数が、当該エレベータ乗り場に停止可能なかごの数未満であってもよいし、この変形例のように、当該ユニット数が当該かごの数と同じであってもよい。なお、ユニット数とは、制御対象となるエレベータ４が同一であるボタンの組に相当する。上述した実施形態では、上指定ボタン２１と下指定ボタン２２との組で１つのユニットとなる。また、車いすを使用している人向けの上指定ボタンおよび下指定ボタンがさらにある場合、これら４つのボタンの組で１つのユニットとなる。
各エレベータ乗り場において、各エレベータと乗り場呼びボタン２とが１対１で対応付けられている場合、発光制御装置１は、いずれのボタンが押下されたかを特定することで、搭乗率を提示する対象となるエレベータ４を特定してもよい。この場合、制御部１０は、割当号機特定部１０１を含んでいなくてもよい。なお、図２にこの例を適用すると、エレベータ４Ａを制御対象とする上指定ボタン２１と下指定ボタン２２とで１つのユニットとなり、エレベータ４Ｂを制御対象とする上指定ボタン２１と下指定ボタン２２とで別の１つのユニットとなる。つまり、本適用例では、エレベータ乗り場におけるユニット数は２である。
発光制御装置１による、搭乗率に応じた発光部２０の制御、および、表示制御装置９による、搭乗率に応じた表示部９９０の制御は、条件判定部１０２が、所定の条件が成立したと判定したタイミングから、割当号機のかご５が呼び発生階に停止するまでの期間中であれば、いずれのタイミングで開始されてもよい。
エレベータ４には非停止階が設定されていてもよい。非停止階とは、そのエレベータ４のかご５が停止しない階床として、あらかじめ設定された階床である。つまり、エレベータ４の利用者は、非停止階を行先階として登録することはできない。なお、非停止階が設定されている場合、図４を参照して説明した停止決定位置と減速決定位置とが異なる場合がある。例えば、２〜１０階が非停止階のエレベータ４において、或る利用者の出発階が１階、行先階が１１階である場合、２〜１０階は必ず通過することとなるので、停止決定位置は１階付近となる。一方、減速決定位置は、１１階に停止するために減速を開始する位置であるので、より１１階に近い位置となる。この例の場合、条件判定部１０２は、かご５が１階を出発したことを示す状態データと、１１階を行先階として登録したことを示す状態データとを取得した時点で、第３条件が成立したと判定してもよい。換言すれば、この変形例における第３条件の成立時点は、減速決定位置に到達した時点ではなく、停止決定位置に到達した時点である。
条件判定部１０２が成立したか否かを判定する条件として、第３条件および第４条件は必須ではない。換言すれば、条件判定部１０２は、少なくとも第１条件および第２条件について、成立したか否かを判定する。
建物に設けられたエレベータ４は、１台のみであってもよい。この例の場合、エレベータシステムはエレベータ群管理システム３を含んでいなくてもよい。エレベータシステムがエレベータ群管理システム３を含まない場合、発光制御装置１および表示制御装置９は、制御盤６と通信可能に接続する。
搭乗率特定部１０３による搭乗率の特定方法は、上述した例に限定されない。例えば、搭乗率特定部１０３は、かご５の天井に設けられ、かご５の内部を撮影可能なカメラ（不図示）が撮影した画像を取得し、かご５の床に対応する領域に対して、かご５に搭乗する人や物が占める領域の割合を算出することにより、搭乗率を特定してもよい。
【００９２】
〔ソフトウェアによる実現例〕
発光制御装置１および表示制御装置９の制御ブロック（特に制御部１０および９０）は、集積回路（ＩＣチップ）等に形成された論理回路（ハードウェア）によって実現してもよいし、ソフトウェアによって実現してもよい。
【００９３】
後者の場合、発光制御装置１および表示制御装置９は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９５】
１  発光制御装置（表示制御装置）
２  乗場呼びボタン（搭乗率表示装置）
３  エレベータ群管理システム
４、４Ａ、４Ｂ  エレベータ
５、５Ａ、５Ｂ  かご
９  表示制御装置
９９  表示装置（搭乗率表示装置）
９９０  表示部
１０１  割当号機特定部（特定部）
１０２  条件判定部
１０３  搭乗率特定部（取得部）
１０４  発光制御部（表示制御部）
Ｓ８  取得ステップ
Ｓ９  表示制御ステップ、発光制御ステップ
【要約】
【課題】コストをかけずにエレベータ乗場での搭乗率の提示を実現する。
【解決手段】発光制御装置（１）は、エレベータのかごの搭乗率を特定可能な情報を取得する搭乗率特定部（１０３）と、乗場呼びボタン（２）の押下への応答として、当該乗場呼びボタンが設けられた呼び発生階へ向かう割当号機のかごの前記情報に基づき特定された搭乗率に応じて、発光させた乗場呼びボタン（２）の発光態様を制御する発光制御部（１０４）と、を備える。
【選択図】図１【図１】
0006908149.tif 000002
【図２】
0006908149.tif 000003
【図３】
0006908149.tif 000004
【図４】
0006908149.tif 000005
【図５】
0006908149.tif 000006
【図６】
0006908149.tif 000007
【図７】
0006908149.tif 000008
【図８】
0006908149.tif 000009
【図９】
0006908149.tif 000010
【図１０】
0006908149.tif 000011